(57)【要約】      （修正有）【課題】中栓の取り外し操作において容器の長さに変動がなく、分離ごみが生じることのない、構造の簡素化された二剤混合容器を提案する。【解決手段】注出口１ａを有し、底部を開口１ｂとして相互間に内容物の収納空間Ｍを形成する上収納部１と、この上収納部１の開口１ｂにつながる口部３ａを有し、その口部３ａと底壁３ｂとの相互間に下収納部３とを備え、上収納部１の内容物を開口１ｂを通して下収納部３の収納空間Ｍ１に落下させることによって内容物を混合する容器において、前記上収納部１の開口１ｂに、該開口１ｂを形成する外壁においてにねじ止めされ、該開口１ｂを密封保持する中栓４を設け、前記上収納部１と下収納部３とを、一端が該下収納部３の口部３ａに回転不能に連係し、他端が上収納部１の外側において下収納部３とともに相対回転可能に保持される中間筒体５にて連結する。【選択図】図１
2006232323.tif 000002
【特許請求の範囲】
【請求項１】
内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって内容物を混合する容器であって、
前記上収納部の開口に、該開口の外壁においてにねじ止めされ、該開口を密封保持する中栓を設け、
前記上収納部と下収納部とを、一端が該下収納部の口部に回転不能に連係し、他端が上収納部の外側において下収納部とともに相対回転可能に保持される中間筒体にて連結し、
前記中栓は、上収納部の開口の内壁に嵌合する内筒と、該開口の外壁を取り囲み該開口の外壁にて係合するねじ部を有する外筒と、該内筒及び外筒を一体的に保持して上収納部の開口を閉塞させる底板からなり、
前記中栓の外筒の外側と中間筒体の内側とを、溝部とこの溝部に適合するリブにて同期回転可能でかつ、離脱可能に連係してなる、ことを特徴とする二剤混合容器。
【請求項２】
前記上収納部又は中間筒体の何れか一方でそれらの対向する壁面の間に、それらの相対的な回転を防止する廻り止め用のリブ又は溝を形成し、かつ、もう一方には前記リブ又は溝に係合する溝又はリブを形成したバージンリングを一体的に設ける、請求項１記載の二剤混合容器。
【発明の詳細な説明】
【技術分野】
【０００１】
本発明は、二剤混合容器に関するものであり、パーツ数を削減して構造の簡素化を図り、二剤を混合する際の回転操作でもって容器の長さが変動することがなく、しかも容器の開封時に分離ごみが生じない容器を提案しようとするものである。
【背景技術】
【０００２】
上下に形成された収納部に種類の異なる内容物をそれぞれ入れておき、使用時に収納部の一方を回転させることで各収納部を開通させて両内容物を混合する二剤混合容器は、毛染め液などの反応性の液体を入れたものに用いられているが、近年、お茶など飲料分野への用途の拡大が図られており、その需要は今後益々増大する傾向にある（例えば、特許文献１参照）。
【特許文献１】実用新案登録第２５６８９８９号明細書
【発明の開示】
【発明が解決しようとする課題】
【０００３】
ところで、従来の二剤混合容器は、部品点数が多く効率的な組立てができないことから製造コストの上昇が避けられない不具合があり、しかも、中栓を取り外す収納部の回転操作に伴って容器の長さ（全高）が変動（長くなったり短くなったりする）するため使い勝手が良いとは言えないのが現状であった。
【０００４】
また、この種の容器は、商品の流通段階での不正な開封を目視でもって確認できるように、バージンリングを備えたものが存在する（特許文献２参照）が、容器の開封に際して該バージンリングは容器から完全に切り離された分離ごみとして別途、廃棄処理されており、同一種類の素材を回収して資源の再利用を図る観点からも好ましくない。
【特許文献２】特開２００２−３２６６７１号公報
【０００５】
本発明の課題は、パーツ数の削減によって構造を簡素化するとともに、中栓の取り外しに際して容器の長さの変動を来たすことがなく、容器の開封に際して分離ごみが生じることのない新規な二剤混合容器を提案するところにある。
【課題を解決するための手段】
【０００６】
本発明は、内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって内容物を混合する容器であって、
前記上収納部の開口に、該開口を形成する外壁においてにねじ止めされ、該開口を密封状態に保持する中栓を設け、
前記上収納部と下収納部とを、一端が該下収納部の口部に回転不能に連係し、他端が上収納部の外側において下収納部とともに相対回転可能に保持される中間筒体にて連結し、
前記中栓は、上収納部の開口の内壁に嵌合する内筒と、該開口の外壁を取り囲み該開口の外壁にて係合するねじ部を有する外筒と、該内筒及び外筒を一体的に保持して上収納部の開口を閉塞させる底板からなり、
前記中栓の外筒の外側と中間筒体の内側とを、溝部とこの溝部に適合するリブにて同期回転可能でかつ、離脱可能に連係してなる、ことを特徴とする二剤混合容器である。
【０００７】
前記上収納部又は中間筒体の何れか一方でそれらの対向する壁面の間には、それらの相対的な回転を防止する廻り止め用のリブ又は溝を形成し、かつ、もう一方には前記リブ又は溝に係合する溝又はリブを形成したバージンリングを一体的に設けることができる。
【発明の効果】
【０００８】
中間筒体と中栓を同期回転可能で、かつ離脱可能に連係させる一方、該中栓と上収納部の開口の外壁との間をねじによって係合させるようにしたので、上収納部あるいは下収納部（中間筒体を含む）の何れか一方を回転させると、中栓が緩んでいき、ねじによる係合が解除されたところで該中栓は下収納部の収納空間へと落下し、この時、中間筒体は、上収納部の周りを回転するのみであって、容器の長さが変動することはない。
【０００９】
バージンリングは一体成形された上収納部あるいは中間筒体の何れか一方から破断した後は廻り止め用のリブ又は溝に案内され上又は下方向に移動し他方にアンダーカット嵌合等によって係留されるため容器を開封しても該バージンリングが切り離されることはなく分離ごみは生じない。
【発明を実施するための最良の形態】
【００１０】
以下、図面を用いて本発明をより具体的に説明する。
図１は本発明にしたがう二剤混合容器の実施の形態を容器の全体について示した図であり、図２は図１の要部拡大図である。
【００１１】
図において１は上収納部である。上収納部１は内容物を注出する注出口１ａを有し、底部を開口１ｂとして該開口１ｂと注出口１ａの相互間に内容物の収納空間Ｍを形成するものであって、開口１ｂを形成する外壁にはねじ部Ｓが設けられている。
【００１２】
２は注出口１ａにおいてねじ止めされるキャップ、３は上収納部１の下側に配置される下収納部である。この下収納部３は上収納部１の開口１ｂにつながる口部３ａを有し、底壁３ｂとの相互間において内容物の収納空間Ｍ１を別途に形成する。
【００１３】
４は開口１ｂの外壁のねじ部Ｓに係合、ねじ止めされ該開口１ｂを密封状態に保持する中栓である。この中栓４は開口１ｂの内壁に嵌合する内筒４ａと、該開口１ｂの外壁を取り囲みその内側においてねじ部Ｓに係合するねじ部Ｓ１を有する外筒４ｂと、該内筒４ａ及び外筒４ｂを一体的に保持して上収納部１の開口を閉塞させる底板４ｃからなり、該外筒４ｂの外側壁には溝又はリブｒが形成されている。
【００１４】
５は上収納部１と下収納部３を回転可能に連結する中間筒体である。この中間筒体５は、外壁５ａと、この外壁５ａに一体連結してその相互間に下向きに開放された溝部ｍを形成するとともに内側面において中栓４の溝又はリブｒに連係して同期回転を可能とするリブ又は溝ｒ１を有する凸部５ｂからなっており、中間筒体５の溝部ｍで下収納部３の口部３ａが回転不能に連係されるが、上収納部１の外側で下収納部３とともに回転可能に保持されている。
【００１５】
また、６は中間筒体５の上端部内側に周方向に沿い一体的に設けられた突起（連続又は断続する突条でもよい）、７は上収納部１の外壁に周方向に沿い一体的に設けられた突起（連続又は断続する突条でもよい）である。この突起６、７よって上収納部１と中間筒体５が相互に抜け止め保持される。
【００１６】
上収納部１の外壁に形成された突起７の下方には、環状のシール突条７ａを形成しその端部を中間筒体５の内壁に圧接させており、環状のシール突条７ａはその位置関係を逆として中間筒体５の内壁に形成することもできるし、複数条形成するようにしてもよい。  
【００１７】
また、８は下収納部３の口部３ａの外側において周方向に沿い一体的に設けられた突起（連続又は断続する突条でもよい）、９は中間筒体５の下端内側に周方向に沿って一体的に設けられた突起（連続又は断続する突条でもよい）である。この突起８、９によって中間筒体５と下収納部３が相互に抜け止め保持される。
【００１８】
１０は下収納部３の口部３ａの外側において一体的に設けられた縦リブ、１１は中間筒体５に一体的に設けられ、該縦リブ１０を収める溝部である。中間筒体５と下収納部３は縦リブ１０、溝部１１によって回転不能に連係される。この縦リブ１０は中間筒体５に設けることもでき、その場合、溝部１１は下収納部３側に設けられる。
【００１９】
上収納部１を回転させるか、下収納部３を中間筒体５とともに回転させると、ねじ部Ｓ、Ｓ１による係合が緩み、中栓４は開口１ｂから押し出される向きへとスライドしていき、ねじ部による係合が解除されたとき該中栓４は中間筒体５から離脱して下収納部３の収納空間Ｍ１へと落下する。
【００２０】
図３〜図６は本発明にしたがう二剤混合容器の他の実施の形態を示したものであり、図における１２はバージンリングである。このバージンリング１２は先端方向内壁に上収納部１の外周壁に設けられた縦リブ（あるいは縦溝）１ｃに適合する縦溝（あるいは縦リブ）１２ａを有しており、これを廻り止めとすることで容器の開封前における上収納部１と中間筒体（下収納部を含む）５の相対的な回転を防止する。
【００２１】
また、図における１３はバージンリング１２と中間筒体５とを破断可能に一体連結する結合片、１４は中間筒体５の上端に一体的に設けられた傾斜付き凸部、１５はバージンリング１２の下端に一体的に設けられ該傾斜付き凸部１４に適合する傾斜付き凹部である。
【００２２】
上記の二剤混合容器は、開封前の状態を図５に示す如く、バージンリング１２と中間筒体５は結合片１３を介してつながっており、縦リブ１ｃ及び縦溝１２ａにより廻り止めされており、容器の開封前においては上収納部１と中間筒体（下収納部３を含む）５の相対的な回転は防止されている。
【００２３】
一方、容器内の内容物を混合して使用に供すべく中間筒体５を回転させると、該中間筒体５の傾斜付き凸部１４の傾斜面にバージンリング１２の傾斜付き凹部１５の傾斜面が沿って移動し、このとき、図６に示すように、バージンリング１２は中間筒体５から切り離され、前記縦リブ（又は縦溝）１ｃに案内されて上方へと移動することとなり、その行き止まり端で図７に示す如く、縦溝（又は縦リブ）１２ａの基底面（縦リブの場合は頂面）及び縦リブ（又は縦溝）１ｃの頂面（溝の場合は基底面）に形成した小突起ｐ、ｐ′によりアンダーカット嵌合して上収納部１に係留され、これによりバージンリング１２が分離ごみとなることはない。
【００２４】
上記の例では、バージンリング１２を中間筒体５に結合片１３を介してつないだ場合について示したが、該バージンリング１２は上収納部１に一体的に形成しておくことも当然可能であり、この場合、上記縦リブ（あるいは縦溝）１ｃと縦溝（あるいは縦リブ）１２ａの配置関係が逆転して設けられることとなり、その動きも上方への移動から下方への移動となる。バージンリング１２と中間筒体５の連結、あるいはバージンリング１２と上収納部１との連結は結合片１３によるものに限られず、破断可能であるならば薄肉部として一体成形してもよいのは言うまでもない。
【００２５】
縦溝１２ａを縦リブとして縦リブ１ｃ同士で廻り止めを構成してもよく、この場合、アンダーカット嵌合に係留するための小突起は縦リブの側面に設けることができる。また、縦リブ（あるいいは縦溝）１ｃ及び縦溝１２ａは少なくとも１つ設けることが可能であり、その設置個数は限定されない。
【００２６】
図８、図９は本発明にしたがうさらに他の実施の形態を要部について示した図である。
図８は上収納部１の開口１ｂの上端につながる部位を水平部１ｄとし、中間筒体５の形状を該水平部ｄに近似する形状に変更したものである。
【００２７】
容器内の内容物を注出するに当たっては容器を反転させる動作を伴うので、開口１ｂの外面と中間筒体５とで形成される空間が存在すると内容物を全て注出することができない場合があるが、図８に示すような形状を採用すると該空間を小さくすることができ、内容物の残量（注出不能な内容物の量）を減らすことが可能となる。
【００２８】
図９は図８と同様の目的から、上収納部１の開口１ｂの直近の下肩部に段部１ｅを形成するとともに、該段部１ｅの外面にシール用環状突条ｕを設けたものである。この構造の容器は、中間筒体５の凸部５ｂの上端に内壁５ｃが形成され、この内壁５ｃの上部内面が段部１ｅに当接（この実施例ではシール用環状突条ｕにて圧接）させた構造からなるもので、このような構造によっても注出時における内容物の残量を減少させることができる。なお、上記シール用環状突条ｕは中間筒体５の内壁に形成してもよく、その本数も１本だけでなく複数本設けることが可能で、この点に関してはとくに限定されない。
【産業上の利用可能性】
【００２９】
二剤を混合する際に容器の長さに変動を来たすことがなく、分離ごみが生じることのない簡素化された構造の二剤混合容器が提供できる。
【図面の簡単な説明】
【００３０】
【図１】本発明にしたがう二剤混合容器の実施の形態を示した図である。
【図２】図１に示した容器の要部拡大図である。
【図３】図１に示した容器の要部の外観斜視図である。
【図４】本発明にしたがう二剤混合容器の第２の実施の形態を示した図である。
【図５】図４に示した容器の開封前におけるバージンリングの側面を示した図である。
【図６】図４に示した容器の開封後におけるバージンリングの側面を示した図である。
【図７】図６に示した状態のリングの断面を示した図である。
【図８】本発明にしたがう二剤混合容器の第３の実施の形態を示した要部拡大図である。
【図９】本発明にしたがう二剤混合容器の第４の実施の形態を示した要部拡大図である。
【符号の説明】
【００３１】
１  上収納部
１ａ  注出口
１ｂ  開口
１ｃ  縦リブ
１ｄ  水平部
１ｅ  段部
２  キャップ
３  下収納部
３ａ  口部
３ｂ  底壁
４  中栓
４ａ  内筒
４ｂ  外筒
４ｃ  底板
５  中間筒体
５ａ  外壁
５ｂ  凸部
５ｃ  内壁
６  突起
７  突起
７ａ  環状のシール突条
８  突起
９  突起
１０  縦リブ
１１  溝部
１２  バージンリング
１２ａ  縦溝
１３  結合片
１４  傾斜付き凸部
１５  傾斜付き凹部
【図１】
2006232323.tif 000003
【図２】
2006232323.tif 000004
【図３】
2006232323.tif 000005
【図４】
2006232323.tif 000006
【図５】
2006232323.tif 000007
【図６】
2006232323.tif 000008
【図７】
2006232323.tif 000009
【図８】
2006232323.tif 000010
【図９】
2006232323.tif 000011